(57)【要約】【課題】ウェット操安性を向上させつつ、転がり抵抗の悪化の抑制とロードノイズの低減とを両立することのできる空気入りタイヤを提供すること。【解決手段】指定された回転方向に回転するように車両に装着され、２本のセンター主溝３１と、１本のショルダー主溝３５と、センター主溝３１により画成されるショルダー陸部２３に形成されるセンター主溝側ショルダー溝部２４と、ショルダー主溝３５とセンター主溝３１との間と、ショルダー陸部２３を画成するセンター主溝３１とセンター主溝側ショルダー溝部２４との間に設けられ、タイヤ周方向の全周に亘って溝が形成されていない領域であるプレーン部７０と、を備え、プレーン部７０は、タイヤ赤道面ＣＬからタイヤ幅方向に接地幅ＴＷの２２％以上３８％以下の範囲内に少なくとも一部が位置しており、タイヤ幅方向における総幅が接地幅ＴＷの１０％以上３０％以下の範囲内である。【選択図】図２
2019084966.tif 000002
【特許請求の範囲】
【請求項１】
車両の前進時において回転軸を中心に指定された回転方向に回転するように前記車両に装着される空気入りタイヤであって、
トレッド面のタイヤ幅方向中心線の両側に１本ずつ形成され、タイヤ周方向に延びる２本のセンター主溝と、
前記トレッド面の前記センター主溝のタイヤ幅方向外側に形成される１本のショルダー主溝と、
前記センター主溝と前記ショルダー主溝とにより画成される複数の陸部と、
２本の前記センター主溝のうち前記ショルダー主溝が位置する側の反対側に位置する前記センター主溝のタイヤ幅方向外側と、前記ショルダー主溝のタイヤ幅方向外側とに位置し、前記センター主溝または前記ショルダー主溝により画成される前記陸部であるショルダー陸部と、
前記ショルダー主溝により画成される前記ショルダー陸部に形成され、タイヤ幅方向に延びると共にタイヤ幅方向における内側端部が前記ショルダー主溝に連通するショルダー主溝側ショルダー溝部と、
前記センター主溝により画成される前記ショルダー陸部に形成され、前記センター主溝から離間するセンター主溝側ショルダー溝部と、
前記ショルダー主溝と当該ショルダー主溝に隣り合う前記センター主溝との間と、前記ショルダー陸部を画成する前記センター主溝と前記センター主溝側ショルダー溝部との間に設けられ、タイヤ周方向の全周に亘って溝が形成されていない領域であるプレーン部と、
を備え、
前記プレーン部は、前記タイヤ幅方向中心線からタイヤ幅方向に接地幅の２２％以上３８％以下の範囲内に少なくとも一部が位置しており、
前記プレーン部は、複数の前記プレーン部のタイヤ幅方向における総幅が前記接地幅の１０％以上３０％以下の範囲内であることを特徴とする空気入りタイヤ。
【請求項２】
前記プレーン部は、タイヤ幅方向における幅が前記接地幅の５％以上１５％以下の範囲内である請求項１に記載の空気入りタイヤ。
【請求項３】
前記ショルダー主溝は、前記タイヤ幅方向中心線から前記ショルダー主溝の溝幅中心までの距離が前記接地幅の３５％以上４５％以下の範囲内となる位置に配置されており、
前記センター主溝は、前記タイヤ幅方向中心線から前記センター主溝の溝幅中心までの距離が前記接地幅の１０％以上２０％以下の範囲内となる位置に配置されており、
前記ショルダー主溝と前記センター主溝とは、それぞれ溝幅が前記接地幅の５％以上９％以下の範囲内であり、
前記トレッド面は、前記センター主溝及び前記ショルダー主溝を除く溝の溝面積比が２％以上１０％以下の範囲内である請求項１または２に記載の空気入りタイヤ。
【請求項４】
前記プレーン部と前記センター主溝との間には、タイヤ幅方向に延びると共にタイヤ幅方向における内側端部が前記センター主溝に連通するプレーン部内側溝部が形成され、
前記プレーン部は、前記プレーン部内側溝部のタイヤ幅方向における外側端部のタイヤ幅方向における位置からタイヤ幅方向外側に設けられる請求項１〜３のいずれか１項に記載の空気入りタイヤ。
【請求項５】
前記センター主溝同士の間に配設される前記陸部には、タイヤ幅方向に延びて前記主溝に連通するサイプが形成される請求項１〜４のいずれか１項に記載の空気入りタイヤ。
【請求項６】
前記プレーン部と前記センター主溝との間と、前記センター主溝同士の間とには、タイヤ幅方向に延びると共に少なくともタイヤ幅方向における一端が前記主溝に連通するサイプが形成され、
前記サイプは、複数がタイヤ周方向に配設されており、
複数の前記サイプは、タイヤ幅方向に延びつつタイヤ幅方向に対してタイヤ周方向に傾斜し、且つ、前記タイヤ幅方向中心線側からタイヤ幅方向外側に向かう際においてタイヤ周方向において向かう方向が全て同じ方向で傾斜しており、
複数の前記サイプは、前記センター主溝を介して隣り合う前記陸部同士に形成されて同じ前記センター主溝に連通する前記サイプ同士が互いに延長線上になる位置となって配設される請求項１〜３のいずれか１項に記載の空気入りタイヤ。
【請求項７】
前記センター主溝側ショルダー溝部と前記ショルダー主溝側ショルダー溝部とは、
それぞれタイヤ幅方向に延びる複数のショルダーラグ溝と、
タイヤ周方向に隣り合う前記ショルダーラグ溝同士の間に配設されてタイヤ幅方向に延びるショルダーサイプと、
を有する請求項１〜６のいずれか１項に記載の空気入りタイヤ。
【請求項８】
前記ショルダー陸部には、接地端のタイヤ幅方向外側に凹部が形成される請求項１〜７のいずれか１項に記載の空気入りタイヤ。
【請求項９】
前記空気入りタイヤは、車両に対する装着方向が指定され、
前記ショルダー主溝は、前記センター主溝より車両装着方向内側に形成される請求項１〜８のいずれか１項に記載の空気入りタイヤ。
【請求項１０】
前記トレッド面は、前記センター主溝と前記ショルダー主溝とを合わせた溝面積比が２０％以上３５％以下の範囲内である請求項１〜９のいずれか１項に記載の空気入りタイヤ。
【発明の詳細な説明】
【技術分野】
【０００１】
本発明は、空気入りタイヤに関する。
【背景技術】
【０００２】
空気入りタイヤでは、濡れた路面の走行時におけるトレッド面と路面との間の水の排出等を目的としてトレッド面に溝が複数形成されているが、トレッド面の溝は、操縦安定性や耐摩耗性、乗り心地性等の排水性以外の性能にも大きく影響する。このため、従来の空気入りタイヤでは、例えば、特許文献１〜３のように、溝の位置や溝の形状、溝幅等を工夫することにより、空気入りタイヤに求められる性能のバランスを図っている。
【先行技術文献】
【特許文献】
【０００３】
【特許文献１】特開２０１７−４７８５３号公報
【特許文献２】特開２０１４−１８４８２８号公報
【特許文献３】特開２０１５−１３１６０３号公報
【発明の概要】
【発明が解決しようとする課題】
【０００４】
ここで、近年では、車両走行時における燃費の向上を図るために、空気入りタイヤの転動時における転がり抵抗を低減させることについての要求が高まっている。転がり抵抗を低減させる手法の１つとしては、トレッド部のゴム体積を低減することが挙げられる。しかし、トレッド部のゴム体積を低減させた場合、トレッド部の剛性が低下することによりトレッド部は撓み易くなり、路面の凹凸に起因して発生する騒音であるロードノイズが大きくなる虞がある。具体的には、ロードノイズの中でも２５０Ｈｚ〜３１５Ｈｚの中周波帯域は、空気入りタイヤの転動時におけるトレッド部等の振動が影響することが知られており、中周波ロードノイズは、トレッド部等が振動する際の断面２次固有振動数の影響が大きくなっている。このため、転がり抵抗の低減のみに着目してトレッド部のゴム体積を低減した場合、ゴム体積の低減に起因して断面２次固有振動数が低くなり、ロードノイズが大きくなる虞がある。
【０００５】
一方で、このロードノイズを低減させることも、空気入りタイヤに求められる重要な性能の１つになっている。ロードノイズを低減させるための手法としては、例えば、ベルト剛性を調整する等の構造面での調整を行うことによって、トレッド部の振動の状態を調節することが挙げられる。しかし、ロードノイズを低減させるために構造面の調整を行った場合、剛性の変化に起因して転がり抵抗が大きくなる虞がある。
【０００６】
また、空気入りタイヤの構造面の調整を行った場合、その影響は空気入りタイヤの性能の多岐に及ぶため、ロードノイズを低減させるために構造面の調整を行った際には、トレッド面に形成される溝に求められる性能である、濡れた路面での操縦安定性であるウェット操安性にも影響を及ぼす虞がある。例えば、溝の形態を工夫することによってウェット操安性を向上させる際において、ロードノイズを低減させるために構造面の調整を行った場合、路面への接地形状がウェット操安性の向上に適した形状にならず、所望のウェット操安性を得難くなる虞がある。これらのように、転がり抵抗やウェット操安性等の他の性能を確保しつつロードノイズを低減するのは、大変困難なものとなっていた。
【０００７】
本発明は、上記に鑑みてなされたものであって、ウェット操安性を向上させつつ、転がり抵抗の悪化の抑制とロードノイズの低減とを両立することのできる空気入りタイヤを提供することを目的とする。
【課題を解決するための手段】
【０００８】
上述した課題を解決し、目的を達成するために、本発明に係る空気入りタイヤは、車両の前進時において回転軸を中心に指定された回転方向に回転するように前記車両に装着される空気入りタイヤであって、トレッド面のタイヤ幅方向中心線の両側に１本ずつ形成され、タイヤ周方向に延びる２本のセンター主溝と、前記トレッド面の前記センター主溝のタイヤ幅方向外側に形成される１本のショルダー主溝と、前記センター主溝と前記ショルダー主溝とにより画成される複数の陸部と、２本の前記センター主溝のうち前記ショルダー主溝が位置する側の反対側に位置する前記センター主溝のタイヤ幅方向外側と、前記ショルダー主溝のタイヤ幅方向外側とに位置し、前記センター主溝または前記ショルダー主溝により画成される前記陸部であるショルダー陸部と、前記ショルダー主溝により画成される前記ショルダー陸部に形成され、タイヤ幅方向に延びると共にタイヤ幅方向における内側端部が前記ショルダー主溝に連通するショルダー主溝側ショルダー溝部と、前記センター主溝により画成される前記ショルダー陸部に形成され、前記センター主溝から離間するセンター主溝側ショルダー溝部と、前記ショルダー主溝と当該ショルダー主溝に隣り合う前記センター主溝との間と、前記ショルダー陸部を画成する前記センター主溝と前記センター主溝側ショルダー溝部との間に設けられ、タイヤ周方向の全周に亘って溝が形成されていない領域であるプレーン部と、を備え、前記プレーン部は、前記タイヤ幅方向中心線からタイヤ幅方向に接地幅の２２％以上３８％以下の範囲内に少なくとも一部が位置しており、前記プレーン部は、複数の前記プレーン部のタイヤ幅方向における総幅が前記接地幅の１０％以上３０％以下の範囲内であることを特徴とする。
【０００９】
また、上記空気入りタイヤにおいて、前記プレーン部は、タイヤ幅方向における幅が前記接地幅の５％以上１５％以下の範囲内であることが好ましい。
【００１０】
また、上記空気入りタイヤにおいて、前記ショルダー主溝は、前記タイヤ幅方向中心線から前記ショルダー主溝の溝幅中心までの距離が前記接地幅の３５％以上４５％以下の範囲内となる位置に配置されており、前記センター主溝は、前記タイヤ幅方向中心線から前記センター主溝の溝幅中心までの距離が前記接地幅の１０％以上２０％以下の範囲内となる位置に配置されており、前記ショルダー主溝と前記センター主溝とは、それぞれ溝幅が前記接地幅の５％以上９％以下の範囲内であり、前記トレッド面は、前記センター主溝及び前記ショルダー主溝を除く溝の溝面積比が２％以上１０％以下の範囲内であることが好ましい。
【００１１】
また、上記空気入りタイヤにおいて、前記プレーン部と前記センター主溝との間には、タイヤ幅方向に延びると共にタイヤ幅方向における内側端部が前記センター主溝に連通するプレーン部内側溝部が形成され、前記プレーン部は、前記プレーン部内側溝部のタイヤ幅方向における外側端部のタイヤ幅方向における位置からタイヤ幅方向外側に設けられることが好ましい。
【００１２】
また、上記空気入りタイヤにおいて、前記センター主溝同士の間に配設される前記陸部には、タイヤ幅方向に延びて前記主溝に連通するサイプが形成されることが好ましい。
【００１３】
また、上記空気入りタイヤにおいて、前記プレーン部と前記センター主溝との間と、前記センター主溝同士の間とには、タイヤ幅方向に延びると共に少なくともタイヤ幅方向における一端が前記主溝に連通するサイプが形成され、前記サイプは、複数がタイヤ周方向に配設されており、複数の前記サイプは、タイヤ幅方向に延びつつタイヤ幅方向に対してタイヤ周方向に傾斜し、且つ、前記タイヤ幅方向中心線側からタイヤ幅方向外側に向かう際においてタイヤ周方向において向かう方向が全て同じ方向で傾斜しており、複数の前記サイプは、前記センター主溝を介して隣り合う前記陸部同士に形成されて同じ前記センター主溝に連通する前記サイプ同士が互いに延長線上になる位置となって配設されることが好ましい。
【００１４】
また、上記空気入りタイヤにおいて、前記センター主溝側ショルダー溝部と前記ショルダー主溝側ショルダー溝部とは、それぞれタイヤ幅方向に延びる複数のショルダーラグ溝と、タイヤ周方向に隣り合う前記ショルダーラグ溝同士の間に配設されてタイヤ幅方向に延びるショルダーサイプと、を有することが好ましい。
【００１５】
また、上記空気入りタイヤにおいて、前記ショルダー陸部には、接地端のタイヤ幅方向外側に凹部が形成されることが好ましい。
【００１６】
また、上記空気入りタイヤにおいて、前記空気入りタイヤは、車両に対する装着方向が指定され、前記ショルダー主溝は、前記センター主溝より車両装着方向内側に形成されることが好ましい。
【００１７】
また、上記空気入りタイヤにおいて、前記トレッド面は、前記センター主溝と前記ショルダー主溝とを合わせた溝面積比が２０％以上３５％以下の範囲内であることが好ましい。
【発明の効果】
【００１８】
本発明に係る空気入りタイヤは、ウェット操安性を向上させつつ、転がり抵抗の悪化の抑制とロードノイズの低減とを両立することができる、という効果を奏する。
【図面の簡単な説明】
【００１９】
【図１】図１は、実施形態に係る空気入りタイヤの要部を示す子午断面図である。
【図２】図２は、図１に示す空気入りタイヤのトレッド部の平面図である。
【図３】図３は、図２のＡ部詳細図である。
【図４】図４は、図３に示す主溝間サイプとプレーン部内側サイプとの位置関係についての説明図である。
【図５】図５は、図２に示す主溝とプレーン部の幅と位置についての説明図である。
【図６】図６は、図２に示すトレッドパターンと断面２次固有振動モードでの振幅の大きさとの関係を示す説明図である。
【図７Ａ】図７Ａは、空気入りタイヤの性能試験の結果を示す図表である。
【図７Ｂ】図７Ｂは、空気入りタイヤの性能試験の結果を示す図表である。
【図７Ｃ】図７Ｃは、空気入りタイヤの性能試験の結果を示す図表である。
【発明を実施するための形態】
【００２０】
以下に、本発明に係る空気入りタイヤの実施形態を図面に基づいて詳細に説明する。なお、この実施形態によりこの発明が限定されるものではない。また、下記実施形態における構成要素には、当業者が置換可能、且つ、容易に想到できるもの、或いは実質的に同一のものが含まれる。
【００２１】
［実施形態］
以下の説明において、タイヤ径方向とは、空気入りタイヤ１の回転軸（図示省略）と直交する方向をいい、タイヤ径方向内側とはタイヤ径方向において回転軸に向かう側、タイヤ径方向外側とはタイヤ径方向において回転軸から離れる側をいう。また、タイヤ周方向とは、回転軸を中心軸とする周り方向をいう。また、タイヤ幅方向とは、回転軸と平行な方向をいい、タイヤ幅方向内側とはタイヤ幅方向においてタイヤ赤道面（タイヤ赤道線）ＣＬに向かう側、タイヤ幅方向外側とはタイヤ幅方向においてタイヤ赤道面ＣＬから離れる側をいう。タイヤ赤道面ＣＬとは、空気入りタイヤ１の回転軸に直交すると共に、空気入りタイヤ１のタイヤ幅の中心を通る平面であり、タイヤ赤道面ＣＬは、空気入りタイヤ１のタイヤ幅方向における中心位置であるタイヤ幅方向中心線と、タイヤ幅方向における位置が一致する。タイヤ幅は、タイヤ幅方向において最も外側に位置する部分同士のタイヤ幅方向における幅、つまり、タイヤ幅方向においてタイヤ赤道面ＣＬから最も離れている部分間の距離である。タイヤ赤道線とは、タイヤ赤道面ＣＬ上にあって空気入りタイヤ１のタイヤ周方向に沿う線をいう。
【００２２】
図１は、実施形態に係る空気入りタイヤ１の要部を示す子午断面図である。ここで、図１に示す空気入りタイヤ１は、車両に対する装着方向、つまり車両装着時の方向が指定されている。即ち、図１に示す空気入りタイヤ１は、車両装着時に車両の内側に向く側が車両装着方向内側となり、車両装着時に車両の外側に向く側が車両装着方向外側となる。なお、車両装着方向内側及び車両装着方向外側の指定は、車両に装着した場合に限らない。例えば、リム組みした場合に、タイヤ幅方向において、車両の内側及び外側に対するリムの向きが決まっているため、空気入りタイヤ１は、リム組みした場合、タイヤ幅方向において、車両装着方向内側及び車両装着方向外側に対する向きが指定される。また、空気入りタイヤ１は、車両に対する装着方向を示す装着方向表示部（図示省略）を有する。装着方向表示部は、例えば、タイヤのサイドウォール部４に付されたマークや凹凸によって構成される。例えば、ＥＣＥＲ３０（欧州経済委員会規則第３０条）が、車両装着状態にて車両装着方向外側となるサイドウォール部４に装着方向表示部を設けることを義務付けている。また、本実施形態に係る空気入りタイヤ１は、主に乗用車に用いられる空気入りタイヤ１になっている。
【００２３】
また、本実施形態に係る空気入りタイヤ１は、車両装着時での回転方向が指定された空気入りタイヤ１になっており、即ち、車両の前進時において回転軸を中心に指定された回転方向に回転するように車両に装着される空気入りタイヤ１になっている。また、空気入りタイヤ１は、回転方向を示す回転方向表示部（図示省略）を有する。回転方向表示部は、例えば、タイヤのサイドウォール部４に付されたマークや凹凸によって構成される。以下の説明では、タイヤ回転方向における先着側とは、空気入りタイヤ１を指定方向に回転させた際における回転方向側であり、空気入りタイヤ１を車両に装着して指定方向に回転させて走行する場合において、先に路面に接地したり先に路面から離れたりする側である。また、タイヤ回転方向における後着側とは、空気入りタイヤ１を指定方向に回転させた際における回転方向の反対側であり、空気入りタイヤ１を車両に装着して指定方向に回転させて走行する場合において、先着側に位置する部分の後に路面に接地したり、先着側に位置する部分の後に路面から離れたりする側である。
【００２４】
本実施形態に係る空気入りタイヤ１は、トレッド部２と、その両側のショルダー部３と、各ショルダー部３から順次連続するサイドウォール部４及びビード部５とを有している。また、この空気入りタイヤ１は、カーカス層６と、ベルト層７と、ベルト補強層８とを備えている。
【００２５】
トレッド部２は、ゴム材（トレッドゴム）からなり、空気入りタイヤ１のタイヤ径方向の最も外側で露出し、その外周表面が空気入りタイヤ１の輪郭となる。トレッド部２の外周表面は、主に走行時に路面と接触し得る面であるトレッド面１０として構成されている。
【００２６】
ショルダー部３は、トレッド部２のタイヤ幅方向両外側の部位である。また、サイドウォール部４は、空気入りタイヤ１におけるタイヤ幅方向の最も外側に露出した部分を形成するものである。また、ビード部５は、ビードコア１５とビードフィラー１６とを有する。ビードコア１５は、スチールワイヤであるビードワイヤをリング状に巻くことにより形成されている。ビードフィラー１６は、カーカス層６のタイヤ幅方向端部がビードコア１５の位置で折り返されることにより形成された空間に配置されるゴム材である。
【００２７】
カーカス層６は、各タイヤ幅方向端部が、一対のビードコア１５でタイヤ幅方向内側からタイヤ幅方向外側に折り返され、且つ、タイヤ周方向にトロイド状に掛け回されてタイヤの骨格を構成するものである。このカーカス層６は、タイヤ周方向に対する角度がタイヤ子午線方向に沿いつつタイヤ周方向にある角度を持って複数並設されたカーカスコード（図示省略）が、コートゴムで被覆されたものである。カーカスコードは、例えば、ポリエステルやレーヨンやナイロン等の有機繊維からなる。このカーカス層６は、少なくとも１層で設けられている。
【００２８】
ベルト層７は、少なくとも２層のベルト７ａ，７ｂを積層した多層構造をなし、トレッド部２においてカーカス層６の外周であるタイヤ径方向外側に配置され、カーカス層６をタイヤ周方向に覆うものである。ベルト７ａ，７ｂは、タイヤ周方向に対して所定の角度（例えば、２０°〜３０°）で複数並設されたコード（図示省略）が、コートゴムで被覆されたものである。コードは、例えば、スチール、またはポリエステルやレーヨンやナイロン等の有機繊維からなる。また、重なり合うベルト７ａ，７ｂは、互いのコードが交差するように配置されている。
【００２９】
ベルト補強層８は、ベルト層７の外周であるタイヤ径方向外側に配置されてベルト層７をタイヤ周方向に覆うものである。ベルト補強層８は、タイヤ周方向に略平行でタイヤ幅方向に複数並設されたコード（図示省略）がコートゴムで被覆されたものである。コードは、例えば、スチール、またはポリエステルやレーヨンやナイロン等の有機繊維からなり、コードの角度はタイヤ周方向に対して±５°の範囲内になっている。図１で示すベルト補強層８は、ベルト層７のタイヤ幅方向端部を覆うように配置されている。ベルト補強層８の構成は、上記に限らず、図には明示しないが、ベルト層７全体を覆うように配置された構成、または、例えば２層の補強層を有し、タイヤ径方向内側の補強層がベルト層７よりもタイヤ幅方向で大きく形成されてベルト層７全体を覆うように配置され、タイヤ径方向外側の補強層がベルト層７のタイヤ幅方向端部のみを覆うように配置されている構成、或いは、例えば２層の補強層を有し、各補強層がベルト層７のタイヤ幅方向端部のみを覆うように配置されている構成であってもよい。即ち、ベルト補強層８は、ベルト層７の少なくともタイヤ幅方向端部に重なるものである。また、ベルト補強層８は、例えば幅が１０ｍｍ程度の帯状のストリップ材をタイヤ周方向に巻き付けて設けられている。
【００３０】
図２は、図１に示す空気入りタイヤ１のトレッド部２の平面図である。トレッド部２のトレッド面１０には、タイヤ周方向に延びる主溝３０が３本形成されている。３本の主溝３０は、タイヤ赤道面ＣＬの両側に１本ずつ配置されるセンター主溝３１と、２本のセンター主溝３１のうち一方のセンター主溝３１のタイヤ幅方向外側に配置される１本のショルダー主溝３５とを有している。タイヤ赤道面ＣＬの両側に配置される２本のセンター主溝３１は、タイヤ赤道面ＣＬからのタイヤ幅方向における距離がほぼ同じ距離になっており、ショルダー主溝３５は、一方のセンター主溝３１と接地端Ｔとの間に配設されている。つまり、３本の主溝３０は、全て接地端Ｔのタイヤ幅方向内側に配設されている。また、本実施形態に係る空気入りタイヤ１は、車両に対する装着方向が指定されており、ショルダー主溝３５は、センター主溝３１より車両装着方向内側に形成されている。
【００３１】
なお、この場合における接地端Ｔは、空気入りタイヤ１を正規リムにリム組みして正規内圧を充填し、静止状態にて平板に対して垂直に置かれて正規荷重の８８％に相当する荷重を加えられたときの、トレッド面１０における平板に接触する領域のタイヤ幅方向の両最外端をいい、タイヤ周方向に連続する。
【００３２】
ここでいう正規リムとは、ＪＡＴＭＡで規定する「標準リム」、ＴＲＡで規定する「Design  Rim」、或いは、ＥＴＲＴＯで規定する「Measuring  Rim」である。また、正規内圧とは、ＪＡＴＭＡで規定する「最高空気圧」、ＴＲＡで規定する「TIRE  LOAD  LIMITS  AT  VARIOUS  COLD  INFLATION  PRESSURES」に記載の最大値、或いはＥＴＲＴＯで規定する「INFLATION  PRESSURES」である。また、正規荷重とは、ＪＡＴＭＡで規定する「最大負荷能力」、ＴＲＡで規定する「TIRE  LOAD  LIMITS  AT  VARIOUS  COLD  INFLATION  PRESSURES」の最大値、或いはＥＴＲＴＯで規定する「LOAD  CAPACITY」である。
【００３３】
また、主溝３０とは、少なくとも一部がタイヤ周方向に延在する縦溝をいう。一般に主溝３０は、５ｍｍ以上の溝幅を有し、７．５ｍｍ以上の溝深さを有し、摩耗末期を示すトレッドウェアインジケータ（スリップサイン）を内部に有する。本実施形態では、主溝３０は、５ｍｍ以上の溝幅を有し、５ｍｍ以上の溝深さを有しており、タイヤ赤道面ＣＬとトレッド面１０とが交差するタイヤ赤道線（センターライン）と実質的に平行である。主溝３０は、タイヤ周方向に直線状に延在してもよいし、波形状又はジグザグ状に設けられてもよい。
【００３４】
また、トレッド面１０には、センター主溝３１とショルダー主溝３５との主溝３０により画成される陸部２０が複数形成されている。陸部２０としては、２本のセンター主溝３１の間に位置する陸部２０であるセンター陸部２１と、隣り合うセンター主溝３１とショルダー主溝３５との間に位置する陸部２０であるセカンド陸部２２と、２本のセンター主溝３１のうちショルダー主溝３５が位置する側の反対側に位置するセンター主溝３１のタイヤ幅方向外側と、ショルダー主溝３５のタイヤ幅方向外側とに位置し、センター主溝３１またはショルダー主溝３５により画成される陸部２０であるショルダー陸部２３とが設けられている。
【００３５】
換言すると、センター陸部２１は、タイヤ幅方向における両側端部が２本のセンター主溝３１によって画成され、セカンド陸部２２は、タイヤ幅方向における両側端部がセンター主溝３１とショルダー主溝３５とによって画成され、ショルダー陸部２３は、タイヤ幅方向における内側端部がセンター主溝３１またはショルダー主溝３５によって画成されている。つまり、複数の陸部２０のうちショルダー陸部２３は、タイヤ幅方向における内側端部がセンター主溝３１によって画成されるセンター主溝側ショルダー陸部２４と、タイヤ幅方向における内側端部がショルダー主溝３５によって画成されるショルダー主溝側ショルダー陸部２５とを有している。これらの陸部２０は、全てタイヤ周方向に延びるリブ状の陸部２０として形成されている。
【００３６】
これらのように主溝３０により画成される複数の陸部２０のうち、センター主溝側ショルダー陸部２４には、センター主溝３１から離間して形成される溝であるセンター主溝側ショルダー溝部４１が形成されており、また、ショルダー主溝側ショルダー陸部２５には、タイヤ幅方向に延びると共にタイヤ幅方向における内側端部がショルダー主溝３５に連通する溝であるショルダー主溝側ショルダー溝部４３とが形成されている。センター主溝側ショルダー溝部４１とショルダー主溝側ショルダー溝部４３とは、それぞれタイヤ幅方向に延びる複数のショルダーラグ溝４６と、タイヤ周方向に隣り合うショルダーラグ溝４６同士の間に配設されてタイヤ幅方向に延びるサイプであるショルダーサイプ４７とを有している。つまり、センター主溝側ショルダー溝部４１とショルダー主溝側ショルダー溝部４３とがそれぞれ有するショルダーラグ溝４６とショルダーサイプ４７とは、複数のショルダーラグ溝４６とショルダーサイプ４７とがタイヤ周方向に交互に配設されている。
【００３７】
なお、ここでいうサイプは、トレッド面１０に細溝状に形成される溝であり、空気入りタイヤ１を正規リムにリム組みし、正規内圧の内圧条件で、無負荷時には細溝を構成する壁面同士が接触しないが、平板上で垂直方向に負荷させたときの平板上に形成される接地面の部分に細溝が位置する際、または細溝が形成される陸部２０の倒れ込み時には、当該細溝を構成する壁面同士、或いは壁面に設けられる部位の少なくとも一部が、陸部２０の変形によって互いに接触するものをいう。
【００３８】
また、ショルダーラグ溝４６とショルダーサイプ４７とは、共にタイヤ幅方向に延びつつ、タイヤ幅方向に対してタイヤ周方向に湾曲して形成されている。ショルダーラグ溝４６とショルダーサイプ４７とは、いずれもタイヤ幅方向における内側から外側に向かうに従って、タイヤ幅方向に対する傾斜角度が小さくなる方向に湾曲している。また、センター主溝側ショルダー陸部２４とショルダー主溝側ショルダー陸部２５とにそれぞれ形成されるショルダーラグ溝４６とショルダーサイプ４７とは、タイヤ幅方向における内側から外側に向かう際においてタイヤ周方向において向かう方向が、全て同じ方向になっている。つまり、ショルダーラグ溝４６とショルダーサイプ４７とは、タイヤ幅方向における内側から外側に向かうに従って、全てタイヤ周方向における同じ方向に向かって傾斜している。本実施形態では、ショルダーラグ溝４６とショルダーサイプ４７とは、タイヤ幅方向における内側から外側に向かうに従って、タイヤ回転方向における先着側から後着側に向かう方向に傾斜している。
【００３９】
また、センター主溝側ショルダー溝部４１が有するショルダーラグ溝４６は、ショルダーラグ溝４６のタイヤ幅方向における内側端部４６ａがセンター主溝側ショルダー陸部２４内で終端し、タイヤ幅方向における外側端部４６ｂが、トレッド面１０のタイヤ幅方向外側端であるデザインエンドＥで開口している。一方、センター主溝側ショルダー溝部４１が有するショルダーサイプ４７は、タイヤ幅方向における内側端部４７ａと外側端部４７ｂとが、共にセンター主溝側ショルダー陸部２４内で終端している。また、センター主溝側ショルダー溝部４１が有するショルダーラグ溝４６とショルダーサイプ４７とは、ショルダーラグ溝４６のタイヤ幅方向における内側端部４６ａのタイヤ幅方向における位置と、ショルダーサイプ４７のタイヤ幅方向における内側端部４７ａのタイヤ幅方向における位置とがほぼ同じ位置になっている。
【００４０】
ここで、デザインエンドＥは、接地端Ｔのタイヤ幅方向外側であってトレッド部２のタイヤ幅方向最外側端をいい、トレッド部２において溝が形成されるタイヤ幅方向最外側端である。図２では、デザインエンドＥをタイヤ周方向に連続して示している。即ち、トレッド部２は、乾燥した平坦な路面において、接地端ＴよりもデザインエンドＥ側の領域は、通常路面に接地しない領域となる。
【００４１】
また、ショルダー主溝側ショルダー溝部４３が有するショルダーラグ溝４６は、ショルダーラグ溝４６のタイヤ幅方向における内側端部４６ａがショルダー主溝３５に連通し、タイヤ幅方向における外側端部４６ｂがデザインエンドＥで開口している。また、ショルダー主溝側ショルダー溝部４３が有するショルダーサイプ４７は、タイヤ幅方向における内側端部４７ａがショルダー主溝３５に連通し、タイヤ幅方向における外側端部４７ｂがショルダー主溝側ショルダー陸部２５内で終端している。即ち、ショルダー主溝側ショルダー溝部４３が有するショルダーラグ溝４６とショルダーサイプ４７とは、いずれもタイヤ幅方向における内側端部４６ａ、４７ａがショルダー主溝３５に連通している。
【００４２】
これらのように形成されるショルダーラグ溝４６は、溝幅が１．５ｍｍ以上８ｍｍ以下の範囲内で、溝深さが２ｍｍ以上８ｍｍ以下の範囲内になっている。また、ショルダーサイプ４７は、溝幅が０．１ｍｍ以上２ｍｍ以下の範囲内で、溝深さが２ｍｍ以上８ｍｍ以下の範囲内になっている。
【００４３】
図３は、図２のＡ部詳細図である。センター主溝側ショルダー陸部２４におけるセンター主溝３１の近傍、及びセカンド陸部２２におけるセンター主溝３１の近傍には、後述するプレーン部７０を画成するプレーン部内側溝部５０が形成されている。本実施形態では、プレーン部内側溝部５０は、サイプとして形成されるプレーン部内側サイプ５１によって形成されている。プレーン部内側サイプ５１は、タイヤ幅方向に延びつつタイヤ幅方向に対してタイヤ周方向に傾斜しており、タイヤ周方向への傾斜方向は、センター主溝側ショルダー陸部２４に形成されるショルダーラグ溝４６やショルダーサイプ４７の傾斜方向と同じ方向になっている。
【００４４】
また、センター主溝側ショルダー陸部２４に形成されるプレーン部内側サイプ５１は、タイヤ周方向における内側端部５１ａがセンター主溝３１に連通しており、タイヤ周方向における外側端部５１ｂはセンター主溝側ショルダー陸部２４内で終端している。このセンター主溝側ショルダー陸部２４に形成されるプレーン部内側サイプ５１の外側端部５１ｂは、センター主溝側ショルダー溝部４１が有するショルダーラグ溝４６の内側端部４６ａやショルダーサイプ４７の内側端部４７ａのタイヤ幅方向における位置よりもタイヤ幅方向内側に位置している。
【００４５】
センター主溝側ショルダー陸部２４では、これらのようにショルダーラグ溝４６の内側端部４６ａ及びショルダーサイプ４７の内側端部４７ａと、プレーン部内側サイプ５１の外側端部５１ｂとは、タイヤ幅方向に離間しており、ショルダーラグ溝４６及びショルダーサイプ４７と、プレーン部内側サイプ５１とはタイヤ周方向において重なっていないため、センター主溝側ショルダー陸部２４には、タイヤ周方向の全周に亘って溝が形成されていない領域であるプレーン部７０が設けられている。即ち、センター主溝側ショルダー陸部２４に設けられるプレーン部７０は、センター主溝側ショルダー陸部２４を画成するセンター主溝３１とセンター主溝側ショルダー溝部４１との間に配設されている。
【００４６】
詳しくは、センター主溝側ショルダー陸部２４に設けられるプレーン部７０は、プレーン部内側サイプ５１の外側端部５１ｂのタイヤ幅方向における位置からタイヤ幅方向外側に向かって、センター主溝側ショルダー溝部４１が有するショルダーラグ溝４６やショルダーサイプ４７の内側端部４６ａ、４７ａのタイヤ幅方向における位置までのタイヤ幅方向における範囲になっており、この範囲でタイヤ周方向の全周に亘って設けられている。換言すると、センター主溝側ショルダー陸部２４に設けられるプレーン部７０は、タイヤ幅方向内側の境界はプレーン部内側サイプ５１の外側端部５１ｂのタイヤ幅方向における位置になっており、タイヤ幅方向外側の境界はショルダーラグ溝４６やショルダーサイプ４７の内側端部４６ａ、４７ａのタイヤ幅方向における位置になっている。センター主溝側ショルダー陸部２４に形成されるプレーン部内側サイプ５１は、このようにセンター主溝側ショルダー陸部２４に設けられるプレーン部７０とセンター主溝３１との間に形成されており、一端がセンター主溝３１に連通している。
【００４７】
また、セカンド陸部２２に形成されるプレーン部内側サイプ５１もセンター主溝側ショルダー陸部２４に形成されるプレーン部内側サイプ５１と同様に、タイヤ周方向における内側端部５１ａがセンター主溝３１に連通しており、タイヤ周方向における外側端部５１ｂがセカンド陸部２２内で終端している。セカンド陸部２２に形成されるプレーン部内側サイプ５１は、外側端部５１ｂがセカンド陸部２２内で終端することにより、ショルダー主溝３５に対してタイヤ幅方向内側に離間している。
【００４８】
また、セカンド陸部２２に形成されるプレーン部内側サイプ５１も、タイヤ幅方向に延びつつタイヤ幅方向に対してタイヤ周方向に傾斜している。セカンド陸部２２に形成されるプレーン部内側サイプ５１のタイヤ周方向への傾斜方向は、ショルダー主溝側ショルダー陸部２５に形成されるショルダーラグ溝４６やショルダーサイプ４７の傾斜方向と同じ方向になっている。つまり、センター主溝側ショルダー陸部２４に形成されるプレーン部内側サイプ５１とセカンド陸部２２に形成されるプレーン部内側サイプ５１とでは、タイヤ幅方向に対するタイヤ周方向への傾斜方向が互いに反対方向になっている。本実施形態では、２箇所の陸部２０に形成されるプレーン部内側サイプ５１は、ショルダーラグ溝４６やショルダーサイプ４７と同様に、タイヤ幅方向における内側から外側に向かうに従って、タイヤ回転方向における先着側から後着側に向かう方向に傾斜している。
【００４９】
セカンド陸部２２に形成されるプレーン部内側サイプ５１は、外側端部５１ｂがショルダー主溝３５からタイヤ幅方向内側に離間しているため、セカンド陸部２２にも、タイヤ周方向の全周に亘って溝が形成されていない領域であるプレーン部７０が設けられている。即ち、セカンド陸部２２に設けられるプレーン部７０は、セカンド陸部２２を画成するショルダー主溝３５と、当該ショルダー主溝３５に隣り合ってショルダー主溝３５と共にセカンド陸部２２を画成するセンター主溝３１との間に配設されている。
【００５０】
詳しくは、セカンド陸部２２に設けられるプレーン部７０は、プレーン部内側サイプ５１の外側端部５１ｂのタイヤ幅方向における位置からタイヤ幅方向外側に向かって、ショルダー主溝３５の開口部における内側縁部のタイヤ幅方向における位置までのタイヤ幅方向における範囲になっており、この範囲でタイヤ周方向の全周に亘って設けられている。換言すると、セカンド陸部２２に設けられるプレーン部７０は、タイヤ幅方向内側の境界はプレーン部内側サイプ５１の外側端部５１ｂのタイヤ幅方向における位置になっており、タイヤ幅方向外側の境界はショルダー主溝３５の開口部における内側縁部のタイヤ幅方向における位置になっている。セカンド陸部２２に形成されるプレーン部内側サイプ５１は、このようにセカンド陸部２２に設けられるプレーン部７０とセンター主溝３１との間に形成されており、一端がセンター主溝３１に連通している。
【００５１】
また、センター主溝３１同士の間に配設されるセンター陸部２１には、タイヤ幅方向に延びてセンター主溝３１に連通するサイプである主溝間サイプ６０が形成されており、主溝間サイプ６０は、複数がタイヤ周方向に並んで配設されている。主溝間サイプ６０は、両端が、それぞれ異なるセンター主溝３１に連通しており、センター陸部２１のタイヤ幅方向における中心付近からタイヤ幅方向外側に向かうに従って、タイヤ回転方向における先着側から後着側に向かう方向に傾斜している。つまり、主溝間サイプ６０は、センター陸部２１のタイヤ幅方向における中央付近に、タイヤ幅方向に対する傾斜角度が変化する部分である屈曲部６５を有しており、屈曲部６５からタイヤ幅方向外側に向かうに従って、タイヤ回転方向における先着側から後着側に向かう方向に傾斜している。このため、主溝間サイプ６０は、屈曲部６５の位置が、タイヤ回転方向において最も先着側に位置している。本実施形態では、主溝間サイプ６０の屈曲部６５は、タイヤ赤道面ＣＬ上に位置している。
【００５２】
また、主溝間サイプ６０は、このように屈曲部６５を有しているため、主溝間サイプ６０における、屈曲部６５から一方のセンター主溝３１側の部分と、当該センター主溝３１に連通するプレーン部内側サイプ５１とは、タイヤ幅方向に対して同じ方向に傾斜している。つまり、主溝間サイプ６０とプレーン部内側サイプ５１とは、それぞれタイヤ幅方向に延びつつタイヤ幅方向に対してタイヤ周方向に傾斜しており、タイヤ赤道面ＣＬ側からタイヤ幅方向外側に向かう際においてタイヤ周方向において向かう方向が、全て同じ方向で傾斜している。
【００５３】
図４は、図３に示す主溝間サイプ６０とプレーン部内側サイプ５１との位置関係についての説明図である。同じセンター主溝３１を介して隣り合うセンター陸部２１とセカンド陸部２２とに形成されて同じセンター主溝３１に連通する主溝間サイプ６０とプレーン部内側サイプ５１とは、互いに延長線上になる位置となって配設されている。同様に、同じセンター主溝３１を介して隣り合うセンター陸部２１とセンター主溝側ショルダー陸部２４とに形成されて同じセンター主溝３１に連通する主溝間サイプ６０とプレーン部内側サイプ５１とは、互いに延長線上になる位置となって配設されている。このため、主溝間サイプ６０とプレーン部内側サイプ５１とは、互いに延長線上となる位置となって配設される主溝間サイプ６０とプレーン部内側サイプ５１とを全体で見た場合に、主溝間サイプ６０の屈曲部６５がタイヤ赤道面ＣＬ上に位置するＶ字状の形状で形成されている。
【００５４】
つまり、主溝間サイプ６０とプレーン部内側サイプ５１とは、主溝間サイプ６０の屈曲部６５がＶ字の頂点となってタイヤ赤道面ＣＬ上に位置し、タイヤ回転方向における先着側から後着側に向かうに従ってタイヤ幅方向における幅が大きくなるＶ字状の形状で形成されている。これらのように、センター主溝３１を介して隣り合うセンター陸部２１とセカンド陸部２２とに形成される主溝間サイプ６０とプレーン部内側サイプ５１、及びセンター主溝３１を介して隣り合うセンター陸部２１とセンター主溝側ショルダー陸部２４とに形成される主溝間サイプ６０とプレーン部内側サイプ５１は、センター主溝３１を貫通し、主溝間サイプ６０とプレーン部内側サイプ５１とを合わせてＶ字状の形状になるような関係性で形成されている。
【００５５】
これらのように、センター主溝３１を介して隣り合うセンター陸部２１とセカンド陸部２２とに形成される主溝間サイプ６０とプレーン部内側サイプ５１、及びセンター主溝３１を介して隣り合うセンター陸部２１とセンター主溝側ショルダー陸部２４とに形成される主溝間サイプ６０とプレーン部内側サイプ５１とは、センター主溝３１を貫通するような関係性で形成されている。異なる陸部２０に形成される主溝間サイプ６０とプレーン部内側サイプ５１とは、これらのように規則性を持たせて配置される。
【００５６】
センター陸部２１に形成される主溝間サイプ６０や、セカンド陸部２２及びセンター主溝側ショルダー陸部２４に形成されるプレーン部内側サイプ５１は、それぞれ溝幅が０．１ｍｍ以上２．０ｍｍ以下の範囲内で、溝深さが２．０ｍｍ以上８．０ｍｍ以下の範囲内になっている。また、ここでいうサイプ同士が互いに延長線上になる位置関係とは、対象となる２本のサイプのうち少なくとも１本のサイプの溝幅方向における中心線ＣＳを、同じ主溝３０に連通する他方のサイプ側に向けて延ばした際に、他方のサイプが主溝３０に連通する位置でのそれぞれのサイプの中心線ＣＳ同士の距離が、０ｍｍ以上４．０ｍｍ以下の範囲内となる位置関係をいう。
【００５７】
また、タイヤ幅方向両側のショルダー陸部２３には、それぞれ接地端Ｔのタイヤ幅方向外側にトレッド面１０から凹んだ凹部８０が形成されている。凹部８０は、トレッド面１０におけるデザインエンドＥ付近に設けられており、直径が１．０ｍｍ以上５．０ｍｍ以下の範囲内で、深さが０．１ｍｍ以上１．０ｍｍ以下の範囲内の円形状のディンプル形状で形成されている。この凹部８０は、センター主溝側ショルダー陸部２４とショルダー主溝側ショルダー陸部２５とのそれぞれで、ショルダーサイプ４７の外側端部４７ｂよりもタイヤ幅方向外側に配設されている。即ち、センター主溝側ショルダー陸部２４とショルダー主溝側ショルダー陸部２５とに形成される凹部８０は、それぞれタイヤ周方向に隣り合うショルダーラグ溝４６同士の間の部分における、タイヤ幅方向においてショルダーサイプ４７が形成されていない位置に配設されている。本実施形態では、凹部８０は、タイヤ周方向に隣り合うショルダーラグ溝４６同士の間において、タイヤ幅方向とタイヤ周方向とにそれぞれ２列ずつの形態で配置され、即ち、タイヤ周方向に隣り合うショルダーラグ溝４６同士の間に４つが設けられている。
【００５８】
図５は、図２に示す主溝３０とプレーン部７０の幅と位置についての説明図である。トレッド面１０に形成されるセンター主溝３１は、溝幅ＷＧｃが接地幅ＴＷの５％以上９％以下の範囲内になっており、ショルダー主溝３５も同様に、溝幅ＷＧｓが接地幅ＴＷの５％以上９％以下の範囲内になっている。また、３本の主溝３０のうちタイヤ赤道面ＣＬのタイヤ幅方向における両側に配設されるセンター主溝３１は、それぞれタイヤ赤道面ＣＬからセンター主溝３１の溝幅中心ＣＧｃまでの距離ＤＧｃが、接地幅ＴＷの１０％以上２０％以下の範囲内となる位置に配置されている。また、ショルダー主溝３５は、タイヤ赤道面ＣＬからショルダー主溝３５の溝幅中心ＣＧｓまでの距離ＤＧｓが、接地幅ＴＷの３５％以上４５％以下の範囲内となる位置に配置されている。なお、この場合における接地幅ＴＷは、トレッド面１０の接地端Ｔ同士のタイヤ幅方向における間隔である。
【００５９】
一方、タイヤ幅方向におけるタイヤ赤道面ＣＬの両側に設けられるプレーン部７０は、タイヤ赤道面ＣＬからタイヤ幅方向に、接地幅ＴＷの２２％以上３８％以下の範囲内に少なくとも一部が位置している。また、プレーン部７０は、タイヤ幅方向における幅であるプレーン幅ＷＰが、接地幅ＴＷの５％以上１５％以下の範囲内になっており、複数のプレーン部７０のタイヤ幅方向における総幅、即ち、２箇所のプレーン部７０の総幅が、接地幅ＴＷの１０％以上３０％以下の範囲内になっている。なお、プレーン部７０は、タイヤ赤道面ＣＬから、プレーン部７０のタイヤ幅方向における中心であるプレーン幅中心ＣＰまでの距離ＤＰが、接地幅ＴＷの２５％以上３５％以下の範囲内となる位置に配置されるのが好ましい。
【００６０】
これらのように、主溝３０等の溝が形成されるトレッド面１０は、主溝３０の溝面積比、即ち、センター主溝３１とショルダー主溝３５とを合わせた溝面積比が２０％以上３５％以下の範囲内になっており、センター主溝３１及びショルダー主溝３５を除く溝の溝面積比が２％以上１０％以下の範囲内になっている。また、トレッド面１０に形成される全ての溝を合わせた溝面積比は、２０％以上３５％以下の範囲内になっている。ここでいう溝面積比は、溝面積／（溝面積＋接地面積）の百分率により定義される。溝面積は、接地面（接地領域）における、算出の対象となる溝の開口面積の合計とする。また、溝面積及び接地面積は、空気入りタイヤ１を正規リムにリム組みし、且つ、正規内圧を充填すると共に正規荷重の８８％をかけたときに測定するものとする。
【００６１】
本実施形態に係る空気入りタイヤ１を車両に装着する際には、ビード部５にリムホイールを嵌合することによってリムホイールに空気入りタイヤ１をリム組みし、内部に空気を充填してインフレートした状態で車両に装着する。その際に、本実施形態に係る空気入りタイヤ１は、車両に対する装着方向が指定されているため、指定されている方向で車両に装着する。具体的には、トレッド面１０に形成される３本の主溝３０のうち、ショルダー主溝３５が最も車両装着方向内側に位置する向きで装着する。
【００６２】
また、本実施形態に係る空気入りタイヤ１は、回転方向が指定されているため、車両の前進時に回転する空気入りタイヤ１が、指定された回転方向で回転をする向きで空気入りタイヤ１を車両に装着する。具体的には、タイヤ幅方向に対してタイヤ周方向に傾斜して形成される主溝間サイプ６０やプレーン部内側サイプ５１、ショルダーラグ溝４６、ショルダーサイプ４７が、空気入りタイヤ１の回転時にそれぞれタイヤ幅方向内側からタイヤ幅方向外側に向かって徐々に接地する向きで車両に装着する。或いは、互いに延長線上となる位置となって配設され、全体で見た場合にＶ字状の形状で配置される主溝間サイプ６０とプレーン部内側サイプ５１とのＶ字の頂点側が、タイヤ回転方向における先着側に位置する向きで装着する。即ち、主溝間サイプ６０の向きが、屈曲部６５がタイヤ回転方向における先着側に位置する向きになる向きで、空気入りタイヤ１を車両に装着する。
【００６３】
空気入りタイヤ１を装着した車両が走行すると、トレッド面１０のうち下方に位置する部分のトレッド面１０が路面に接触しながら当該空気入りタイヤ１は回転する。車両は、トレッド面１０と路面との間の摩擦力により、駆動力や制動力を路面に伝達したり、旋回力を発生させたりすることにより走行する。例えば、空気入りタイヤ１を装着した車両で乾燥した路面を走行する場合には、主にトレッド面１０と路面との間の摩擦力により、駆動力や制動力を路面に伝達したり、旋回力を発生させたりすることにより走行する。また、濡れた路面を走行する際には、トレッド面１０と路面との間の水が主溝３０やショルダーラグ溝４６等の溝に入り込み、これらの溝でトレッド面１０と路面との間の水を排水しながら走行する。これにより、トレッド面１０は路面に接地し易くなり、トレッド面１０と路面との間の摩擦力により、車両は所望の走行をすることが可能になる。
【００６４】
ここで、トレッド面１０に形成される３本の主溝３０は、タイヤ赤道面ＣＬの両側に１本ずつ配設される２本のセンター主溝３１と、一方のセンター主溝３１のタイヤ幅方向外側に配設される１本のショルダー主溝３５とにより構成されている。このため、トレッド面１０のタイヤ幅方向におけるタイヤ赤道面ＣＬの両側のうち、ショルダー主溝３５が設けられている側では、センター主溝３１とショルダー主溝３５によって排水性を確保することができるため、濡れた路面を走行する際における操縦安定性であるウェット操安性を向上させることができる。また、トレッド面１０のタイヤ幅方向におけるタイヤ赤道面ＣＬの両側のうち、ショルダー主溝３５が設けられている側の反対側では、主溝３０はセンター主溝３１の１本のみであるため、主溝３０によって画成する陸部２０の剛性を確保することができる。これにより、空気入りタイヤ１の転動時に、陸部２０が変形し過ぎることを抑制でき、転がり抵抗を低減することができる。
【００６５】
また、本実施形態に係る空気入りタイヤ１は、回転方向が指定されており、トレッド面１０に形成される主溝間サイプ６０やプレーン部内側サイプ５１、ショルダーラグ溝４６、ショルダーサイプ４７は、空気入りタイヤ１の回転時には、それぞれタイヤ幅方向内側からタイヤ幅方向外側に向かって徐々に接地する。これにより、トレッド面１０と路面との間の水を、空気入りタイヤ１の回転に伴ってこれらのサイプ等によってタイヤ赤道面ＣＬ側からタイヤ幅方向外側に向けて排水することができ、排水性を確保することができるため、ウェット操安性をさらに向上させることができる。また、空気入りタイヤ１の回転方向を指定し、トレッド面１０に形成する溝に規則性を持たせて配設することによって排水性を確保しているため、溝面積比を大きくすることなく排水性を確保することができ、排水性を確保しつつ陸部２０の剛性を確保することができる。これにより、陸部２０が変形し過ぎることをより確実に抑制することができ、転がり抵抗を低減することができる。
【００６６】
また、トレッド面１０には、タイヤ周方向の全周に亘って溝が形成されていないプレーン部７０が設けられており、プレーン部７０は、タイヤ赤道面ＣＬからタイヤ幅方向に接地幅ＴＷの２２％以上３８％以下の範囲内に、少なくとも一部が位置している。これにより、空気入りタイヤ１の転動時における撓みの変形による振動を安定させることができ、振動が不安定になることに起因してロードノイズが大きくなることを抑制することができる。
【００６７】
図６は、図２に示すトレッドパターンと断面２次固有振動モードでの振幅の大きさとの関係を示す説明図である。空気入りタイヤ１の転動時には、路面へのトレッド面１０の接地と離間とを繰り返しながら回転するため、空気入りタイヤ１は、トレッド部２が繰り返し撓みながら回転する。これにより、トレッド部２は、空気入りタイヤ１の転動時における撓みによって、いわゆる定常波の形態で振幅が繰り返されて振動する。空気入りタイヤ１の転動時には、このようにトレッド部２は定常波の形態で振動するため、トレッド部２の振動状態を表す断面２次固有振動モードでの、トレッド部２の振動波Ｖの振幅の大きさは、タイヤ幅方向における位置によって異なる。
【００６８】
断面２次固有振動モードでの振動波Ｖの振幅の大きさは、図６に示すように、タイヤ赤道面ＣＬ付近が最も大きく、タイヤ赤道面ＣＬからタイヤ幅方向外側に向かうに従って小さくなり、タイヤ赤道面ＣＬと接地端Ｔとの間の範囲におけるタイヤ幅方向の中央付近からタイヤ幅方向外側に向かうに従って大きくなる。つまり、断面２次固有振動モードでは、タイヤ赤道面ＣＬ付近に、振動波Ｖの振幅が最も大きくなる、定常波のいわゆる腹Ｖａが位置し、タイヤ赤道面ＣＬと接地端Ｔとの間の範囲におけるタイヤ幅方向の中央付近に、振動波Ｖの振幅が最も小さくなる節Ｖｎが位置している。また、振動波Ｖの節Ｖｎは、タイヤ幅方向におけるタイヤ赤道面ＣＬの両側に位置しており、２箇所の節Ｖｎは、それぞれタイヤ赤道面ＣＬからタイヤ幅方向に接地幅ＴＷの５％以上１５％以下の範囲内に位置している。
【００６９】
トレッド面１０のプレーン部７０は、タイヤ赤道面ＣＬからタイヤ幅方向に接地幅ＴＷの２２％以上３８％以下の範囲内に少なくとも一部が位置しているため、プレーン部７０は、断面２次固有振動モードにおける振動波Ｖの節Ｖｎに位置していることになる。これにより、トレッド部２は、断面２次固有振動モードにおける振動波Ｖの節Ｖｎに相当する位置付近の剛性が高くなっており、節Ｖｎの位置では変形し難くなっている。つまり、プレーン部７０は、タイヤ周方向の全周に亘って溝が形成されていないため剛性が高くなっており、このプレーン部７０のタイヤ幅方向における位置を、節Ｖｎのタイヤ幅方向における位置に近付けることにより、節Ｖｎの位置でのトレッド部２の変形を低減することができる。このため、空気入りタイヤ１の転動時に、断面２次固有振動モードにおける振動波Ｖの節Ｖｎの部分でトレッド部２が振動し易くなることを抑制でき、断面２次固有振動モードの周波数を高くすることができるため、ロードノイズを低減することができる。
【００７０】
また、プレーン部７０は、複数のプレーン部７０のタイヤ幅方向における総幅が、接地幅ＴＷの１０％以上３０％以下の範囲内になっているため、トレッド部２が節Ｖｎの部分で振動し易くなることを、より確実に抑制することができる。つまり、プレーン部７０の総幅が接地幅ＴＷの１０％未満である場合は、プレーン部７０の総幅が狭過ぎるため、プレーン部７０を設けてもトレッド部２の剛性を確保し難くなる虞がある。この場合、プレーン部７０を設けても、断面２次固有振動モードの節Ｖｎの部分でトレッド部２が振動し易くなることを抑制し難くなる虞がある。また、プレーン部７０の総幅が接地幅ＴＷの３０％を超える場合は、プレーン部７０の総幅が広過ぎるため、断面２次固有振動モードの節Ｖｎ以外の位置のトレッド部２の剛性を、プレーン部７０によって高めてしまう虞がある。この場合、トレッド部２における断面２次固有振動モードの節Ｖｎの位置の剛性と、節Ｖｎ以外の位置の剛性との差が低減するため、空気入りタイヤ１の転動時に、トレッド部２は、節Ｖｎ以外の位置のみでなく、節Ｖｎの位置でも振動し易くなる虞がある。
【００７１】
これに対し、複数のプレーン部７０の総幅が、接地幅ＴＷの１０％以上３０％以下の範囲内である場合は、トレッド部２における節Ｖｎの位置での剛性を、節Ｖｎ以外の位置の剛性に対してより確実に高めることができ、節Ｖｎの部分で振動し易くなることを、より確実に抑制することができる。これにより、断面２次固有振動モードの周波数をより確実に高くすることができ、より確実にロードノイズを低減することができる。これらの結果、ウェット操安性を向上させつつ、転がり抵抗の悪化の抑制とロードノイズの低減とを両立することができる。
【００７２】
また、プレーン部７０は、プレーン幅ＷＰが接地幅ＴＷの５％以上１５％以下の範囲内であるため、トレッド部２が節Ｖｎの部分で振動し易くなることを、より確実に抑制することができる。つまり、プレーン部７０のプレーン幅ＷＰが接地幅ＴＷの５％未満である場合は、プレーン幅ＷＰが狭過ぎるため、プレーン部７０を設けてもトレッド部２の剛性を確保し難くなる虞がある。この場合、プレーン部７０を設けても、断面２次固有振動モードの節Ｖｎの部分でトレッド部２が振動し易くなることを抑制し難くなる虞がある。また、プレーン部７０のプレーン幅ＷＰが接地幅ＴＷの１５％を超える場合は、プレーン幅ＷＰが広過ぎるため、断面２次固有振動モードの節Ｖｎ以外の位置のトレッド部２の剛性をプレーン部７０によって高めてしまう虞がある。この場合、トレッド部２の節Ｖｎの位置と節Ｖｎ以外の位置との剛性の差がつき難くなるため、空気入りタイヤ１の転動時に、トレッド部２は、節Ｖｎ以外の位置のみでなく、節Ｖｎの位置でも振動し易くなる虞がある。
【００７３】
これに対し、プレーン部７０のプレーン幅ＷＰが接地幅ＴＷの５％以上１５％以下の範囲内である場合は、トレッド部２における節Ｖｎの位置での剛性を、節Ｖｎ以外の位置の剛性に対してより確実に高めることができ、節Ｖｎの部分で振動し易くなることを、より確実に抑制することができる。この結果、断面２次固有振動モードの周波数をより確実に高くすることができ、より確実にロードノイズを低減することができる。
【００７４】
また、ショルダー主溝３５は、タイヤ赤道面ＣＬからショルダー主溝３５の溝幅中心ＣＧｓまでの距離ＤＧｓが接地幅の３５％以上４５％以下の範囲内となる位置に配置されているため、セカンド陸部２２の剛性とショルダー主溝側ショルダー陸部２５の剛性とをバランスよく確保することができる。つまり、タイヤ赤道面ＣＬからショルダー主溝３５の溝幅中心ＣＧｓまでの距離ＤＧｓが接地幅ＴＷの３５％未満である場合は、隣り合うショルダー主溝３５とセンター主溝３１とのタイヤ幅方向における距離が小さくなり過ぎ、セカンド陸部２２のタイヤ幅方向における幅が狭くなり過ぎる虞がある。この場合、セカンド陸部２２の剛性が低くなり過ぎて、乾燥した路面を走行する際における操縦安定性であるドライ操安性が低下する虞がある。また、タイヤ赤道面ＣＬからショルダー主溝３５の溝幅中心ＣＧｓまでの距離ＤＧｓが接地幅ＴＷの４５％を超える場合は、ショルダー主溝３５がタイヤ幅方向外側に寄り過ぎることにより、ショルダー主溝側ショルダー陸部２５のタイヤ幅方向における幅が狭くなり過ぎる虞がある。この場合、ショルダー主溝側ショルダー陸部２５の剛性が低くなり過ぎて、ドライ操安性が低下する虞がある。
【００７５】
これに対し、タイヤ赤道面ＣＬからショルダー主溝３５の溝幅中心ＣＧｓまでの距離ＤＧｓが、接地幅ＴＷの３５％以上４５％以下の範囲内である場合は、ショルダー主溝３５によって画成されるセカンド陸部２２とショルダー主溝側ショルダー陸部２５とのいずれの陸部２０もタイヤ幅方向における幅を適切な大きさにすることができ、セカンド陸部２２の剛性とショルダー主溝側ショルダー陸部２５の剛性とをバランスよく確保することができる。これにより、より確実にドライ操安性を確保することができる。
【００７６】
また、センター主溝３１は、タイヤ赤道面ＣＬからセンター主溝３１の溝幅中心ＣＧｃまでの距離ＤＧｃが接地幅ＴＷの１０％以上２０％以下の範囲内となる位置に配置されているため、センター陸部２１の剛性と、セカンド陸部２２及びセンター主溝側ショルダー陸部２４の剛性とをバランスよく確保することができる。つまり、タイヤ赤道面ＣＬからセンター主溝３１の溝幅中心ＣＧｃまでの距離ＤＧｃが接地幅ＴＷの１０％未満である場合は、２本のセンター主溝３１同士の距離が小さくなり過ぎ、センター陸部２１のタイヤ幅方向における幅が狭くなり過ぎる虞がある。この場合、センター陸部２１の剛性が低くなり過ぎて、乾燥した路面を走行する際における操縦安定性であるドライ操安性が低下する虞がある。また、タイヤ赤道面ＣＬからセンター主溝３１の溝幅中心ＣＧｃまでの距離ＤＧｃが接地幅ＴＷの２０％を超える場合は、センター主溝３１がタイヤ幅方向外側に寄り過ぎることにより、セカンド陸部２２やセンター主溝側ショルダー陸部２４のタイヤ幅方向における幅が狭くなり過ぎる虞がある。この場合、セカンド陸部２２やセンター主溝側ショルダー陸部２４の剛性が低くなり過ぎて、ドライ操安性が低下する虞がある。
【００７７】
これに対し、タイヤ赤道面ＣＬからセンター主溝３１の溝幅中心ＣＧｃまでの距離ＤＧｃが、接地幅ＴＷの１０％以上２０％以下の範囲内である場合は、センター主溝３１によって画成されるセンター陸部２１、セカンド陸部２２、センター主溝側ショルダー陸部２４のいずれの陸部２０もタイヤ幅方向における幅を適切な大きさにすることができ、センター陸部２１の剛性と、セカンド陸部２２及びセンター主溝側ショルダー陸部２４の剛性とをバランスよく確保することができる。これにより、より確実にドライ操安性を確保することができる。
【００７８】
また、センター主溝３１とショルダー主溝３５とからなる主溝３０は、それぞれの主溝３０の溝幅ＷＧｃ、ＷＧｓが接地幅ＴＷの５％以上９％以下の範囲内であるため、陸部２０の剛性を確保しつつ主溝３０での排水性を確保することができる。つまり、主溝３０の溝幅ＷＧｃ、ＷＧｓが接地幅ＴＷの５％未満である場合は、主溝３０の溝幅ＷＧｃ、ＷＧｓが狭過ぎるため、主溝３０での排水性を確保し難くなり、ウェット操安性が低下する虞がある。また、主溝３０の溝幅ＷＧｃ、ＷＧｓが接地幅ＴＷの９％を超える場合は、主溝３０の溝幅ＷＧｃ、ＷＧｓが広過ぎるため、主溝３０によって画成される陸部２０のタイヤ幅方向における幅が狭くなることにより陸部２０の剛性が低下し、ドライ操安性が低下する虞がある。
【００７９】
これに対し、複数の主溝３０の溝幅ＷＧｃ、ＷＧｓが接地幅ＴＷの５％以上９％以下の範囲内である場合は、主溝３０の溝幅ＷＧｃ、ＷＧｓを、陸部２０の剛性が低下し過ぎない程度に確保することができ、陸部２０の剛性の低下を抑えつつ、主溝３０での排水性を確保することができる。これにより、ドライ操安性とウェット操安性とを両立することができる。
【００８０】
また、トレッド面１０は、主溝３０を除く溝の溝面積比が２％以上１０％以下の範囲内であるため、主溝３０以外の溝での排水性を確保しつつ、主溝３０によって画成される陸部２０の変形を抑えて転がり抵抗を低減することができる。つまり、主溝３０を除く溝の溝面積比が２％未満である場合、溝面積比が小さ過ぎるため、トレッド面１０と路面との間の水を、主溝３０以外の溝で排水し難くなる虞がある。また、主溝３０を除く溝の溝面積比が１０％を超える場合、主溝３０によって画成される陸部２０の剛性を確保し難くなり、陸部２０が変形し易くなるため、転がり抵抗が大きくなる虞がある。これに対し、主溝３０を除く溝の溝面積比が２％以上１０％以下の範囲内である場合は、主溝３０以外の溝で排水性を確保しつつ、陸部２０の変形を抑えて転がり抵抗を低減することができる。これらの結果、ウェット操安性を向上させつつ、より確実に転がり抵抗の悪化の抑制とロードノイズの低減とを両立することができる。
【００８１】
また、プレーン部７０とセンター主溝３１との間には、タイヤ幅方向に延びると共に内側端部５１ａがセンター主溝３１に連通するプレーン部内側サイプ５１が形成されるため、セカンド陸部２２やセンター主溝側ショルダー陸部２４における、センター主溝３１近傍の部分の剛性を下げることができる。これにより、セカンド陸部２２やセンター主溝側ショルダー陸部２４における、センター主溝３１近傍の接地圧が高くなり過ぎることを抑制することができ、トレッド面１０の接地圧の均一化を図ることができる。この結果、転がり抵抗の悪化をより確実に抑制することができる。
【００８２】
また、センター主溝３１同士の間に配設されるセンター陸部２１には、タイヤ幅方向に延びてセンター主溝３１に連通する主溝間サイプ６０が形成されるため、セカンド陸部２２やセンター主溝側ショルダー陸部２４における、センター主溝３１近傍の部分に対して、センター陸部２１の剛性が高くなり過ぎることを抑制することができる。これにより、センター主溝３１の両側の陸部２０同士で接地圧の差が大きくなることを抑制することができ、トレッド面１０の接地圧の均一化を図ることができる。この結果、転がり抵抗の悪化をより確実に抑制することができる。
【００８３】
また、プレーン部内側サイプ５１と主溝間サイプ６０とは、センター主溝３１を介して隣り合う陸部２０同士に形成されて同じセンター主溝３１に連通するサイプ５１、６０同士が互いに延長線上になる位置となって配設されるため、センター主溝３１を介して隣り合う陸部２０同士で、剛性の均一化を図ることができる。これにより、より確実にトレッド面１０の接地圧の均一化を図ることができる。また、それぞれタイヤ幅方向に対してタイヤ周方向に傾斜するプレーン部内側サイプ５１と主溝間サイプ６０とは、タイヤ赤道面ＣＬ側からタイヤ幅方向外側に向かう際においてタイヤ周方向において向かう方向が全て同じ方向に傾斜しつつ、互いに延長線上になる位置に配設されるため、トレッド面１０と路面との間の水を、主溝間サイプ６０とプレーン部内側サイプ５１との間でより確実にタイヤ赤道面ＣＬ側からタイヤ幅方向外側に向けて排水することができる。これらの結果、より確実にウェット操安性を向上させつつ、転がり抵抗の悪化を抑制することができる。
【００８４】
また、センター主溝側ショルダー溝部４１とショルダー主溝側ショルダー溝部４３とは、それぞれタイヤ幅方向に延びる複数のショルダーラグ溝４６と、タイヤ周方向に隣り合うショルダーラグ溝４６同士の間に配設されてタイヤ幅方向に延びるショルダーサイプ４７とを有するため、センター主溝側ショルダー陸部２４やショルダー主溝側ショルダー陸部２５の剛性を、タイヤ周方向において均一化させることができる。これにより、センター主溝側ショルダー陸部２４やショルダー主溝側ショルダー陸部２５の剛性が部分的に高くなることに起因して接地圧が不均一になることを抑制することができ、より確実にトレッド面１０の接地圧の均一化を図ることができる。この結果、より確実に転がり抵抗の悪化を抑制することができる。
【００８５】
また、ショルダー陸部２３には、接地端Ｔのタイヤ幅方向外側に凹部８０が形成されるため、空気入りタイヤ１の転動時に凹部８０によって空気に乱流を発生させてタイヤ表面からの空気の剥離を抑えることができる。これにより、空気抵抗を低減させることができ、この結果、より確実に転がり抵抗の悪化を抑制することができる。
【００８６】
また、ショルダー主溝３５は、センター主溝３１より車両装着方向内側に形成されるため、車両の直進走行時における排水性をショルダー主溝３５によって確保することができる。これにより、ウェット操安性を確保することができる。また、ショルダー主溝３５は、タイヤ幅方向外側に位置するセンター主溝３１のタイヤ幅方向外側には形成されないため、センター主溝側ショルダー陸部２４の剛性を確保することができ、ドライ操安性を確保することができる。これらの結果、より確実にウェット操安性とドライ操安性とを両立することができる。
【００８７】
また、トレッド面１０は、センター主溝３１とショルダー主溝３５とを合わせた溝面積比、即ち、主溝３０の溝面積比が、２０％以上３５％以下の範囲内であるため、より確実に陸部２０の剛性を確保しつつ、主溝３０での排水性を確保することができる。つまり、主溝３０の溝面積比が２０％未満である場合は、主溝３０の溝面積比が小さ過ぎるため、主溝３０での排水性を適切に確保するのが困難になり、ウェット操安性を確保し難くなる虞がある。また、主溝３０の溝面積比が３５％を超える場合は、主溝３０の溝面積比が大き過ぎるため、陸部２０の剛性を適切に確保するのが困難になり、ドライ操安性を確保し難くなる虞がある。
【００８８】
これに対し、主溝３０の溝面積比が２０％以上３５％以下の範囲内である場合は、より確実に陸部２０の剛性の低下を抑えつつ主溝３０での排水性を確保することができる。この結果、より確実にドライ操安性とウェット操安性とを両立することができる。
【００８９】
［変形例］
なお、上述した実施形態では、プレーン部７０は、タイヤ幅方向におけるタイヤ赤道面ＣＬの両側２箇所に設けられているが、プレーン部７０は、２箇所以外であってもよい。プレーン部７０は、タイヤ幅方向におけるタイヤ赤道面ＣＬの両側に設けられ、且つ、タイヤ赤道面ＣＬからタイヤ幅方向に接地幅ＴＷの２２％以上３８％以下の範囲内に、少なくとも一部が位置していれば、その数は問わない。また、タイヤ赤道面ＣＬからのタイヤ幅方向における距離や、プレーン幅ＷＰは、複数のプレーン部７０で互いに異なっていてもよい。同様に、複数の主溝３０は、溝幅ＷＧｃ、ＷＧｓが互いに異なっていてもよく、タイヤ赤道面ＣＬからセンター主溝３１の溝幅中心ＣＧｃまでの距離ＤＧｃがセンター主溝３１同士で互いに異なっていてもよい。
【００９０】
また、上述した実施形態では、センター主溝側ショルダー溝部４１やショルダー主溝側ショルダー溝部４３として設けられるショルダーラグ溝４６とショルダーサイプ４７とは、タイヤ周方向に交互に配設されているが、ショルダーラグ溝４６とショルダーサイプ４７とは、交互に配設されていなくてもよい。また、上述した実施形態では、センター主溝側ショルダー溝部４１は、ショルダーラグ溝４６の内側端部４６ａのタイヤ幅方向における位置とショルダーサイプ４７の内側端部４７ａのタイヤ幅方向における位置とは、ほぼ同じ位置になっているが、タイヤ幅方向における位置は互いに異なっていてもよい。
【００９１】
また、上述した実施形態では、センター主溝側ショルダー溝部４１やショルダー主溝側ショルダー溝部４３としてショルダーラグ溝４６とショルダーサイプ４７とが設けられているが、センター主溝側ショルダー溝部４１とショルダー主溝側ショルダー溝部４３とは、ショルダーラグ溝４６またはショルダーサイプ４７のいずれか一方であってもよい。また、センター主溝側ショルダー溝部４１は、ショルダーラグ溝４６やショルダーサイプ４７以外の溝がセンター主溝側ショルダー溝部４１として設けられていてもよく、例えば、センター主溝側ショルダー陸部２４に形成されてタイヤ周方向に延びる細溝がセンター主溝側ショルダー溝部４１として設けられていてもよい。この場合、このようにタイヤ周方向に延びる細溝のタイヤ幅方向内側の縁部のタイヤ幅方向における位置が、プレーン部７０のタイヤ幅方向外側の端部になる。
【００９２】
また、上述した実施形態では、プレーン部内側溝部５０は、タイヤ幅方向に延びるプレーン部内側サイプ５１により設けられているが、プレーン部内側サイプ５１以外の溝がプレーン部内側溝部５０として設けられていてもよい。プレーン部内側溝部５０は、例えば、プレーン部７０とセンター主溝３１との間でタイヤ幅方向に延びると共にタイヤ幅方向における内側端部がセンター主溝３１に連通するラグ溝が、プレーン部内側溝部５０として設けられていてもよい。または、このようなラグ溝と、プレーン部内側サイプ５１とのいずれもが、プレーン部内側溝部５０として設けられていてもよい。
【００９３】
［実施例］
図７Ａ〜図７Ｃは、空気入りタイヤの性能試験の結果を示す図表である。以下、上記の空気入りタイヤ１について、従来例の空気入りタイヤと、本発明に係る空気入りタイヤ１と、本発明に係る空気入りタイヤ１と比較する比較例の空気入りタイヤとについて行なった性能の評価試験について説明する。性能評価試験は、空気入りタイヤ１の転動時におけるロードノイズ及び転がり抵抗と、乾燥した路面での操縦安定性であるドライ操安性と、濡れた路面での操縦安定性であるウェット操安性とについての試験を行った。
【００９４】
性能評価試験は、ＪＡＴＭＡで規定されるタイヤの呼びが１９５／６５Ｒ１５サイズの空気入りタイヤ１を、リムサイズ１５×６ＪのＪＡＴＭＡ標準のリムホイールにリム組みし、空気圧を２５０ｋＰａに調整して行った。また、ロードノイズとドライ操安性とウェット操安性とについての試験では、試験タイヤを排気量が１．８Ｌの前輪駆動の試験車両に装着して１名乗車でテスト走行することにより行った。
【００９５】
各試験項目の評価方法は、ロードノイズについては、試験タイヤを装着した試験車両で、テストコースのロードノイズ路を６０ｋｍ／ｈの速度で走行した際のロードノイズレベルを、テストドライバーの官能評価により比較した。ロードノイズは、テストドライバーの官能評価を、後述する従来例を１００として指数で表すことによって評価し、指数が大きいほどロードノイズが小さく、ロードノイズ性能に優れていることを示している。
【００９６】
また、転がり抵抗については、室内のドラム試験機（ドラム径：１７０７ｍｍ）を使用し、ＩＳＯ２８５８０に準拠し荷重４．８ｋＮ、速度８０ｋｍ／時の条件における転がり抵抗係数を算出した。その結果を、後述する従来例の転がり抵抗係数の逆数を１００とする指数で示した。この指数が大きいほど転がり抵抗が低いことを示している。
【００９７】
また、ドライ操安性については、試験タイヤを装着した試験車両で、乾燥路面のテストコースを走行した際のテストドライバーによる官能評価を実施し、官能評価を、後述する従来例を１００として指数で表すことによって評価した。数値が大きいほどドライ操安性が優れていることを示している。
【００９８】
また、ウェット操安性については、試験タイヤを装着した試験車両で、濡れた路面のテストコースを走行した際のテストドライバーによる官能評価を実施し、官能評価を、後述する従来例を１００として指数で表すことによって評価した。数値が大きいほどウェット操安性が優れていることを示している。
【００９９】
性能評価試験は、従来の空気入りタイヤの一例である従来例の空気入りタイヤと、本発明に係る空気入りタイヤ１である実施例１〜２０と、本発明に係る空気入りタイヤ１と比較する空気入りタイヤである比較例１〜３との２４種類の空気入りタイヤについて行った。このうち、従来例の空気入りタイヤは、複数のプレーン部７０のプレーン幅ＷＰの総幅が、接地幅ＴＷの１０％未満になっている。また、比較例１の空気入りタイヤは、複数のプレーン部７０のプレーン幅ＷＰの総幅が接地幅ＴＷの３０％より大きくなっており、比較例２の空気入りタイヤは、プレーン部７０がタイヤ赤道面ＣＬからタイヤ幅方向に接地幅ＴＷの５％以上１５％以下の範囲内に位置しておらず、比較例３の空気入りタイヤは、回転方向が指定されていない。
【０１００】
これに対し、本発明に係る空気入りタイヤ１の一例である実施例１〜２０は、全て複数のプレーン部７０のプレーン幅ＷＰの総幅が接地幅ＴＷの１０％以上３０％以下の範囲内になっており、回転方向が指定されており、プレーン部７０の少なくとも一部がタイヤ赤道面ＣＬからタイヤ幅方向に接地幅ＴＷの２２％以上３８％以下の範囲内に位置している。さらに、実施例１〜２０に係る空気入りタイヤ１は、接地幅ＴＷに対するプレーン部７０のプレーン幅ＷＰ［％］、主溝３０を除く溝の溝面積比［％］、接地幅ＴＷに対する主溝３０の溝幅ＷＧｃ、ＷＧｓ［％］、接地幅ＴＷに対する、タイヤ赤道面ＣＬからセンター主溝３１の溝幅中心ＣＧｃまでの距離ＤＧｃ［％］、接地幅ＴＷに対する、タイヤ赤道面ＣＬからショルダー主溝３５の溝幅中心ＣＧｓまでの距離ＤＧｓ［％］、プレーン部内側溝部５０の有無、主溝間サイプ６０の有無、ショルダーラグ溝４６同士の間のショルダーサイプ４７の有無、同じ主溝３０に連通するサイプ同士が延長線上になる位置に配置されて、複数の陸部２０のサイプが全体としてＶ字状に形成されているか否か、接地端Ｔのタイヤ幅方向外側の凹部８０の有無、車両装着方向の指定があってショルダー主溝３５が車両装着方向内側に配置されているか否か、主溝３０の溝面積比［％］が、それぞれ異なっている。
【０１０１】
これらの空気入りタイヤ１を用いて性能評価試験を行った結果、図７Ａ〜図７Ｃに示すように、実施例１〜２０に係る空気入りタイヤ１は、従来例や比較例１〜３と比較して、転がり抵抗が大きくなることを抑制しつつ、ウェット操安性を向上させることができ、さらに、ロードノイズを低減させることができることが分かった。つまり、実施例１〜２０に係る空気入りタイヤ１は、ウェット操安性を向上させつつ、転がり抵抗の悪化の抑制とロードノイズの低減とを両立することができる。
【符号の説明】
【０１０２】
１  空気入りタイヤ
２  トレッド部
３  ショルダー部
４  サイドウォール部
５  ビード部
６  カーカス層
７  ベルト層
１０  トレッド面
２０  陸部
２１  センター陸部
２２  セカンド陸部
２３  ショルダー陸部
２４  センター主溝側ショルダー陸部
２５  ショルダー主溝側ショルダー陸部
３０  主溝
３１  センター主溝
３５  ショルダー主溝
４１  センター主溝側ショルダー溝部
４３  ショルダー主溝側ショルダー溝部
４６  ショルダーラグ溝
４６ａ、４７ａ、５１ａ  内側端部
４６ｂ、４７ｂ、５１ｂ  外側端部
４７  ショルダーサイプ
５０  プレーン部内側溝部
５１  プレーン部内側サイプ
６０  主溝間サイプ
６５  屈曲部
７０  プレーン部
８０  凹部
【図１】
2019084966.tif 000003
【図２】
2019084966.tif 000004
【図３】
2019084966.tif 000005
【図４】
2019084966.tif 000006
【図５】
2019084966.tif 000007
【図６】
2019084966.tif 000008
【図７Ａ】
2019084966.tif 000009
【図７Ｂ】
2019084966.tif 000010
【図７Ｃ】
2019084966.tif 000011